(57)【要約】【課題】自然な残響感と広がりのある音により快適な空間となるユニット空間を提供する。【解決手段】ユニット空間Ｓ内で発生した音を集音する集音マイク４と、集音マイク４で集音した音に音声加工を加えることのできる音響制御器６と、互いに平行な壁面２，２にそれぞれ設けたモノラルパネルスピーカー５，５を備え、集音マイク４で集音した音を音響制御器６を介して音声加工してモノラルパネルスピーカー５，５からユニット空間Ｓ内にフィードバックさせるように構成する。【選択図】図１
2009115853.tif 000002
【特許請求の範囲】
【請求項１】
ユニット空間内で発生した音を集音する集音マイクと、
該集音マイクで集音した音に音声加工を加えることのできる音響制御器と、
互いに平行な壁面にそれぞれ設けたモノラルパネルスピーカーを備え、
前記集音マイクで集音した音を前記音響制御器を介して音声加工して前記モノラルパネルスピーカーからユニット空間内にフィードバックさせるように構成したことを特徴とするユニット空間。
【発明の詳細な説明】
【技術分野】
【０００１】
本発明は、自然な残響感と広がりのある音による音場が形成されるユニット空間に関するものである。
【背景技術】
【０００２】
従来、特許文献１に開示されているように、浴室と脱衣室を仕切る仕切りの両側にスピーカーを設けて、浴室と脱衣室にスピーカーからの音が聞こえるように構成したものがある。
【特許文献１】特開２００６−１３８１４９号公報
【発明の開示】
【発明が解決しようとする課題】
【０００３】
上記特許文献１に開示されている構造は、集音した音をフィードバックさせるものではなく、単にスピーカーからの音が浴室と脱衣室に聞こえるようにしたものである。
なお、ユニットバスなどでは特有の固有モード周波数による不自然な残響が生じやすく、物が落下した時の音や扉の開閉音などから生じる残響が心理的に不快感を与えるものであった。
【課題を解決するための手段】
【０００４】
本発明は、自然な残響感と広がりのある音が得られ、快適なユニット空間にすることができる構造を提供することを目的の１つとし、この目的の少なくとも一部を達成するために以下の手段を採った。
本発明は、ユニット空間内で発生した音を集音する集音マイクと、該集音マイクで集音した音に音声加工を加えることのできる音響制御器と、互いに平行な壁面にそれぞれ設けたモノラルパネルスピーカーを備え、前記集音マイクで集音した音を前記音響制御器を介して音声加工して前記モノラルパネルスピーカーからユニット空間内にフィードバックさせるように構成したことを要旨とする。
【発明の効果】
【０００５】
ユニット空間内で発生する全ての音を集音マイクで集音して、音響制御器を介してエコー量や残響時間などの制御による音声加工を加え、これを平行な壁面にそれぞれ設けたモノラルパネルスピーカーからユニット空間内にフィードバックさせることで、ユニット空間内には違和感のない自然なエコーや残響を有した広がりのある音が付与されて、自然に音が響いているという印象をユニット空間内の人に与えることができ、ユニット空間内が快適な空間となる。
【発明を実施するための最良の形態】
【０００６】
次に、本発明を実施するための最良の形態を実施例を用いて説明する。
図１は、装置の概略図であり、床面１の周囲に側壁面２が立設され、側壁面２，２の上端には天井面３が形成されて、ユニットバス或いはシャワーブース等のユニット空間Ｓが形成されており、本例では、天井面３の中央部に、ユニット空間Ｓ内の音を集音できる集音マイク４が設けられている。また、ユニット空間Ｓを形成する平行に対向する一対の側壁面２，２には、それぞれモノラルパネルスピーカー５，５が取り付けられている。
【０００７】
集音マイク４で集音された音は、音響制御器６で音声加工され、加工された音声が、平行状に対向する一対の側壁面２，２に取り付けたモノラルパネルスピーカー５，５からユニット空間Ｓ内にフィードバックされて、ユニット空間Ｓ内が一対のモノラルパネルスピーカー５，５からの音が供給される音場となるように構成されている。
なお、有線または無線のリモコン７でユニット空間Ｓ内またはユニット空間Ｓ外から音響制御器６を遠隔操作できるように構成されている。
【０００８】
なお、集音マイク４は天井面３の中央部に限らず、天井面のコーナー側等に設けても良く、また側壁面２側に設けたものであっても良いが、天井面３の中央部に設置すると、ユニット空間Ｓ内の全ての音を良好に集音できるものとなる。
また、音響制御器６は、集音マイク４で集音した音の残響時間，エコー量，ディレイ量を可変制御することのできる公知のもので構成されている。この音響制御器６内での残響時間やエコー量の調整は、リモコン７で使用者が適宜設定変更して調整できるものである。
【０００９】
なお、音響制御器６を図２のようにＭＰＵ６ａとＡＭＰ６ｂで構成しても良く、図２では、ＭＰＵ６ａ内で、集音マイク４で集音した音の残響時間，エコー量，ディレイ量を制御して、音声加工を加え、これをＡＭＰ６ｂで音量増幅させて一対のモノラルパネルスピーカー５，５に送り、一対のモノラルパネルスピーカー５，５からユニット空間Ｓ内に音を出力するように構成したものである。
【００１０】
なお、モノラルパネルスピーカー５から音が出力される際に、平行に向かい合う側壁面２，２が振動面となり、ユニット空間Ｓ内には違和感のない自然なエコーや残響を有する広がりのある音が供給されることとなり、ユニット空間Ｓ内が快適な空間となり、心理的にユニット空間Ｓを広く感じることができるものとなる。
例えば、ユニット空間Ｓ内で物が落下した時の音や、扉の開閉音などから生じる心理的に不快な音も、適度な残響やエコーを加えることにより、自然な残響感と広がりのある音となり、ユニット空間Ｓ内にフィードバックされて自然な違和感のない広がりのある音となる。
【００１１】
なお、図３は、ユニットバスに集音マイク４とモノラルパネルスピーカー５を設けた例を示している。
この図３に示す構造では、床面１が床パン１ａで構成されており、床パン１ａの外周に立ち上がる側壁面２，２は、それぞれ二重壁構造となっており、内側の内壁２ａと外側の外壁２ｂで構成されている。また、天井面３も二重構造となっており、内側の内壁３ａと外側の外壁３ｂで構成されている。
集音マイク４は、天井面３を構成する内壁３ａから僅かにユニット空間Ｓ内に突出した状態で取り付けておくことができ、また、モノラルパネルスピーカー５は、側壁面２を構成する内壁２ａと外壁２ｂ間に隠蔽状態で配設しておくことができ、内壁２ａの裏側にモノラルパネルスピーカー５を固定させて、内壁２ａが振動面となるように構成しておくことができる。
【００１２】
このような二重壁構造では、モノラルパネルスピーカー５を隠蔽させることができ、ユニット空間Ｓ内にいる人はスピーカーが室内から見えないために違和感が生ずることがなく、自然にユニット空間Ｓ内に音が響いている印象が得られて快適な空間となる。
【００１３】
なお、側壁面の内壁２ａを振動面とするためには、モノラルパネルスピーカー５を内壁２ａに密着状に固定する必要がある。なお、モノラルパネルスピーカー５の駆動部は、内壁２ａと外壁２ｂ間に隠蔽状に設置されるため、ユニット空間Ｓ内の意匠性が向上し、空間の有効利用を図ることができ、また、外壁２ｂを外せば、簡単にモノラルパネルスピーカー５のメンテナンス等を行うことができるものとなる。
【００１４】
なお、図４および図５で拡大して示すものは、側壁面２を鋼板パネル２０で構成した場合である。
鋼板パネル２０は、室内側の鋼板２１の裏側に石膏ボード２２が貼着されて構成されており、この石膏ボード２２を切り欠いた切欠部２２ａを形成させておき、この切欠部２２ａ内にモノラルパネルスピーカー５を配置させて、モノラルパネルスピーカー５を鋼板２１の裏面に密着状に貼着等で固定しておくことができるものである。
このようにすれば、モノラルパネルスピーカー５の音で鋼板２１を振動させて、鋼板２１を振動面として良好にユニット空間Ｓ内に自然なエコーや残響を有する音を出力することができる。
【００１５】
なお、本例では、平行に向かい合う一対の側壁面２，２にそれぞれモノラルパネルスピーカー５を取り付けたものを例示しているが、９０度方向を変えた向かい合う側壁面２，２にもモノラルパネルスピーカー５，５をそれぞれ取り付けて構成することもできる。
【図面の簡単な説明】
【００１６】
【図１】装置の概略構成図である。
【図２】変更例を示す装置の概略構成図である。
【図３】二重壁構造のユニット空間にモノラルパネルスピーカーを取り付けた斜視構成図である。
【図４】鋼板パネルにモノラルパネルスピーカーを取り付けた裏面側からの斜視構成図である。
【図５】図４の拡大縦断面構成図である。
【符号の説明】
【００１７】
１  床面
２  側壁面
２ａ  内壁
２ｂ  外壁
３  天井面
３ａ  内壁
３ｂ  外壁
４  集音マイク
５  モノラルパネルスピーカー
６  音響制御器
７  リモコン
２０  鋼板パネル
２１  鋼板
２２  石膏ボード
２２ａ  切欠部
【図１】
2009115853.tif 000003
【図２】
2009115853.tif 000004
【図３】
2009115853.tif 000005
【図４】
2009115853.tif 000006
【図５】
2009115853.tif 000007